(57)【要約】【課題】  被覆部材の着脱を容易に行えるものでありながら、他の帽子の使用時においても被覆部材を使用することができるようにする点にある。【解決手段】  頭頂部を覆うクラウン部１の下部側内面に備えたクラウン側の面ファスナー６に係脱する第１の面ファスナー７を介して着脱自在に構成された日除け用又は雨除け用又は防寒用の被覆部材４を備え、前記被覆部材４の一方側の面に前記第１の面ファスナー７を備え、かつ、該被覆部材４の他方側の面に該第１の面ファスナー７とほぼ同一高さ位置で該被覆部材４の長手方向中間位置に第２の面ファスナーを備え、前記第１の面ファスナー７又は前記第２の面ファスナーに係脱する第３の面ファスナーを少なくとも先端側に備えた帯状部材１０の基端側を前記被覆部材４の長手方向一端に連結した。【選択図】        図２
2007070739.tif 000002
【特許請求の範囲】
【請求項１】
頭頂部を覆うクラウン部の下部側内面に備えたクラウン側の面ファスナーに係脱する第１の面ファスナーを介して着脱自在に構成された日除け用又は雨除け用又は防寒用の被覆部材を備え、前記被覆部材の一方側の面に前記第１の面ファスナーを備え、かつ、該被覆部材の他方側の面に該第１の面ファスナーとほぼ同一高さ位置で該被覆部材の長手方向中間位置に第２の面ファスナーを備え、前記第１の面ファスナー又は前記第２の面ファスナーに係脱する第３の面ファスナーを少なくとも先端側に備えた帯状部材の基端側を前記被覆部材の長手方向一端に連結したことを特徴とする帽子。
【請求項２】
前記第３の面ファスナーを、前記第２の面ファスナーに係脱し、前記帯状部材の先端に取り付けた先端側の面ファスナーと、該先端側の面ファスナーと帯状部材の基端部との間に取り付けられ、前記第１の面ファスナーに係脱する単又は複数の補助用の面ファスナーとから構成してなる請求項１に記載の帽子。
【請求項３】
前記被覆部材のうちの、前記第２の面ファスナーと前記帯状部材の基端部との間に、基端部にて折り返した該帯状部材を差し込んで該帯状部材の中間部を該被覆部材側に保持するためのループ状の保持部材を備えさせてなる請求項１又は２に記載の帽子。
【請求項４】
前記帯状部材が、伸縮自在な弾性ゴムからなる請求項１〜３のいずれかに記載の帽子。
【請求項５】
頭頂部を覆うクラウン部の下部側内面に備えたクラウン側の面ファスナーに係脱自在な第１の面ファスナーを備え、少なくとも後頭部及び左右の側頭部の一部を覆うことができる寸法に構成された被覆部材と、この被覆部材の一方側の面に前記第１の面ファスナーを備え、かつ、該被覆部材の他方側の面に該第１の面ファスナーとほぼ同一高さ位置で該被覆部材の長手方向中間位置に第２の面ファスナーを備え、前記第１の面ファスナー又は前記第２の面ファスナーに係脱する第３の面ファスナーを少なくとも先端側に備えた帯状部材の基端側を前記被覆部材の長手方向一端に連結したことを特徴とする帽子の被覆体。
【発明の詳細な説明】
【技術分野】
【０００１】
本発明は、左右の耳を覆うための防寒用の耳当て部材や後頭部及び左右の側頭部の一部を覆うための日除け用や雨除け用としての被覆部材をクラウン部に着脱自在に備えた帽子及びクラウン部に備えた面ファスナーに係脱する面ファスナーを備えた帽子の被覆体に関する。ここで言う帽子は、ヘルメットなどの内側に着用するインナーキャップも含むものとする。
【背景技術】
【０００２】
上記帽子の中でも防寒用帽子を例に挙げて説明すれば、冬場において寒暖の差に応じて被覆部材である耳当て部材をクラウン部に取り付けたり、取り外して使用することができるように耳当て部材を着脱可能に構成しており、その一例として、クラウン部側に多数の務歯からなる第１ファスナーを備えさせ、耳当て部材側に多数の務歯と開閉用のスライダーとを備えた第２ファスナーを備えさせて、開閉用のスライダーを第１ファスナーの務歯に係止させてからスライダーをスライドさせることによって、第１ファスナーと第２ファスナーとを閉じることで耳当て部材をクラウン部に備えさせることができ、又、不要時には、スライダーを開放操作することによって、耳当て部材を取り外すことができるようにしたものが既に提案されている。（例えば、特許文献１参照）。
【特許文献１】実開昭６３−１０２７２７号公報（第１図参照）
【発明の開示】
【発明が解決しようとする課題】
【０００３】
上記特許文献１では、開閉用のスライダーを一々スライド操作してからでないと耳当て部材をクラウン部から取り外したり、クラウン部に取り付けることができないため、耳当て部材の着脱操作が手間のかかる煩わしいものになっていた。
又、前記耳当て部材は、クラウン部にファスナーを備えている帽子でしか装着することができないため、ファスナーのない他の帽子では使用することができない不便なものであった。
【０００４】
本発明が前述の状況に鑑み、解決しようとするところは、被覆部材の着脱を容易に行えるものでありながら、他の帽子の使用時においても被覆部材を使用することができるようにする点にある。
【課題を解決するための手段】
【０００５】
本発明の帽子は、前述の課題解決のために、頭頂部を覆うクラウン部の下部側内面に備えたクラウン側の面ファスナーに係脱する第１の面ファスナーを介して着脱自在に構成された日除け用又は雨除け用又は防寒用の被覆部材を備え、前記被覆部材の一方側の面に前記第１の面ファスナーを備え、かつ、該被覆部材の他方側の面に該第１の面ファスナーとほぼ同一高さ位置で該被覆部材の長手方向中間位置に第２の面ファスナーを備え、前記第1の面ファスナー又は第２の面ファスナーに係脱可能な第３の面ファスナーを少なくとも先端側に備えた帯状部材の基端側を前記被覆部材の長手方向一端に連結したことを特徴としている。
クラウン部側の面ファスナーに被覆部材の第１の面ファスナーを係脱するだけで、被覆部材をクラウン部に対して迅速に着脱することができる。このとき、帯状部材の先端側に備えた第３の面ファスナーを被覆部材の第２の面ファスナーに係止させておくことによって、帯状部材を被覆部材側に固定することができるから、帽子を被るときや、被覆部材をクラウン部に着脱するときに、帯状部材が大きくはみ出して（飛び出してきて）邪魔になることがない。そして、被覆部材をクラウン部から取り外してから、第３の面ファスナーに第２の面ファスナーを介して係止固定されている帯状部材を係止解除した後、被覆部材にて少なくとも後頭部及び左右の側頭部の一部を覆った状態で帯状部材を額に回してから帯状部材の先端側に備えた第３の面ファスナーを被覆部材に備えた第１の面ファスナーに係止させて、被覆部材を額に固定することができ、被覆部材を装着しながらも、他の別の帽子を被ることができる。
【０００６】
前記第３の面ファスナーを、前記第２の面ファスナーに係脱し、前記帯状部材の先端に取り付けた先端側の面ファスナーと、該先端側の面ファスナーと帯状部材の基端部との間に取り付けられ、前記第１面ファスナーに係脱する単又は複数の補助用の面ファスナーとから構成してもよい。
【０００７】
前記被覆部材のうちの、前記第２の面ファスナーと前記帯状部材の基端部との間に、基端部にて折り返した該帯状部材を差し込んで該帯状部材の中間部を該被覆部材側に保持するためのループ状の保持部材を備えさせてもよい。
【０００８】
前記帯状部材を、伸縮自在な弾性ゴムから構成してもよい。
【０００９】
頭頂部を覆うクラウン部の下部側内面に備えたクラウン側の面ファスナーに係脱自在な第１の面ファスナーを備え、少なくとも後頭部及び左右の側頭部の一部を覆うことができる寸法に構成された被覆本体と、この被覆本体の一方側の面に前記第１の面ファスナーを備え、かつ、該被覆本体の他方側の面に該第１の面ファスナーとほぼ同一高さ位置で該被覆本体の長手方向中間位置に第２の面ファスナーを備え、前記第１の面ファスナー又は前記第２の面ファスナーに係脱する第３の面ファスナーを少なくとも先端側に備えた帯状部材の基端側を前記被覆本体の長手方向一端に連結した帽子の被覆体であってもよい。
【発明の効果】
【００１０】
クラウン部側の面ファスナーに被覆部材の第１の面ファスナーを係脱するだけで、被覆部材をクラウン部に対して迅速に着脱することができ、スライダーを備えるファスナーに比べて、使用面において有利になる。又、被覆部材に帯状部材を備えさせておくことによって、帯状部材を利用して額に被覆部材を単独で固定することができるから、被覆部材を装着しながらも、面ファスナーなどの係止手段を備えていない他の別の帽子を被ることもでき、使用範囲の拡大を図ることができる商品価値の高いものにすることができる。しかも、被覆部材を第１の面ファスナーを介してクラウン部に装着している場合や不要時に取り外して折り畳んで収納する場合に、帯状部材を第３の面ファスナーを第２の面ファスナーに係止させることによって、帯状部材が被覆部材から大きくはみ出して邪魔になるようなことがなく、使用面において不利になることがなく使用することができる。
【００１１】
第３の面ファスナーを、第２の面ファスナーに係脱し、帯状部材の先端に取り付けた先端側の面ファスナーと、先端側の面ファスナーと帯状部材の基端部との間に取り付けられ、第１の面ファスナーに係脱する単又は複数の補助用の面ファスナーとから構成することによって、額に固定していた被覆部材を首に巻き付けて帯状部材の第３の面ファスナーは勿論のこと、補助用の面ファスナーを第１の面ファスナーに係止させることによって、頭よりも小さな首であっても確実に首に被覆部材を固定して首巻き（マフラー）として使用することができ、さらに使用範囲の拡大を図ることができる商品価値の高いものにすることができる。
【００１２】
被覆部材のうちの、第２の面ファスナーと帯状部材の基端部との間に、基端部にて折り返した帯状部材を差し込んで帯状部材の中間部を被覆部材側に保持するためのループ状の保持部材を備えさせることによって、一対の面ファスナーにて固定する構成に比べて、部品点数の削減化を図ることができながらも、帯状部材の中間部を被覆部材側に確実に保持することができる。
【００１３】
帯状部材を、伸縮自在な弾性ゴムから構成することによって、特に額に固定する場合に頭の大きな人であっても、伸ばすことによってサイズの吸収を行うことができる。
【発明を実施するための最良の形態】
【００１４】
図１及び図２に、頭部を覆い被せることができる大きさを有するほぼ半球状のクラウン部１と、このクラウン部１の底部周縁の特定箇所（図では周縁のほぼ１／３を占める箇所であるが、）、つまり前端部分の底部に一端が縫着により連結された鍔部２と、前記クラウン部１の底部内面側に備えるビン皮部３とからなる野球帽タイプの帽子に、少なくとも後頭部及び左右の側頭部の一部を覆う、つまり左右の耳と後頭部を覆うための被覆部材の一例である耳当て部材４を着脱自在に備えた防寒用帽子が示されている。
図３にも示すように、前記耳当て部材４は、左右の耳を覆う両端部分が下方に少し湾曲して上下幅が大きくなった耳覆い部４Ａ，４Ａとこれら耳覆い部４Ａ，４Ａを連結して後頭部の下側を覆うとともに該耳覆い部よりも上下幅が小さく設定された連結部４Ｂとから構成され、これの長手方向一端に後述する帯状部材１０を連結して被覆体を構成しているが、耳当て部材４の形状及び大きさは自由に変更することができる。又、前記耳当て部材４を単一（一枚）のものから構成する他、複数の部材を縫い合わせて（連結して）一体化したものであってもよい。図１に示す５は、クラウン部１の内径寸法（底部外周縁の寸法）を変更するためのサイズ調節部であるが、このサイズ調節部５の無い帽子であってもよい。又、帽子としては、野球帽タイプの他、鍔部のないタイプのものやハットタイプのものであってもよい。帽子の素材や耳当て部材の素材は、どのようなものであってもよい。
【００１５】
クラウン部１の下部側内面に備えた前記ビン皮部３の内面（頭が接触する側となる表面）のうちの鍔部２に位置する部分を除いたほぼ全ての部分に、クラウン側の左右一対の面ファスナー６，６（図では、一方しか見えていない。又、クラウン部の後頭部に相当する位置に前記サイズ調節部５があるため、ビン皮部３が無く、その部分には面ファスナーを備えさせていないが、サイズ調節部５がないタイプではその部分にも面ファスナーを備えさせてもよい）を縫い付け（接着剤にて固定してもよい）、このクラウン側の面ファスナー６に係脱する該面ファスナー６とほぼ同一上下幅でほぼ同一長さを有する第１の面ファスナー７を、前記耳当て部材４の一方側の面（耳に接触する内面とは反対側となる外面）のうちの、上端部分に縫い付け（接着剤にて固定してもよい）て、耳当て部材４をクラウン部１に対して面ファスナー６，７を介して着脱自在に構成している。前記耳当て部材４の他方側の面（耳に接触しない外面）に、該第１の面ファスナー７とほぼ同一高さ位置（上端位置）で該耳当て部材４の長手方向中間位置（図では長手方向ほぼ中央位置であるが、他の位置でもよい）に所定面積を有する（第１の面ファスナー７と上下幅がほぼ同一で、長さも上下幅とほぼ同一の正方形状に構成された）第２の面ファスナー８を備え、前記第1の面ファスナー７又は第２の面ファスナー８に係脱可能な該第２の面ファスナー８よりも少し長い寸法を有する第３の面ファスナー９を先端に備えた帯状部材１０の基端側を前記耳当て部材４の長手方向一端に連結している。前記第３の面ファスナー９の長さを第２の面ファスナー８の長さよりも少し長くすることによって、両者の係止位置が多少ずれても確実に係止させることができるようにしているが、第２の面ファスナー８と第３の面ファスナー９とをほぼ同一寸法にして実施してもよい。
【００１６】
前記第３の面ファスナー９を、帯状部材１０の先端にのみ設けて実施してもよいが、図３及び図４（ａ），（ｂ）に示すように、前記第２の面ファスナー８に係脱し、前記帯状部材１０の先端に取り付けた先端側の面ファスナー９Ａと、該先端側の面ファスナー９Ａと帯状部材１０の基端部との間に取り付けられ、前記第１面ファスナー７に係脱する先端側の面ファスナー９Ａとほぼ同一寸法の補助用の面ファスナー９Ｂ（ここでは単数であるが、複数でもよい）とから構成してもよい。又、先端側の面ファスナー９Ａから補助用の面ファスナー９Ｂまでの長さを有する単一の面ファスナーから構成することもできる。
前記先端側の面ファスナー９Ａ及び補助用の面ファスナー９Ｂを雄型の面ファスナーにすると、前記第２の面ファスナー８及び第１の面ファスナー７を雌型の面ファスナーにしたり、それらの関係を反対にする他、全てのものを雄雌両用の面ファスナーにて構成して実施することもできる。
【００１７】
前記耳当て部材４のうちの、前記第２の面ファスナー８と前記帯状部材１０の基端部との間に、基端部にて折り返した該帯状部材１０を差し込んで該帯状部材１０の中間部を該耳当て部材側に保持するためのループ状の保持部材１１を備えさせてもよい。前記保持部材１１を伸縮自在な弾性ゴムから構成しているが、伸縮しない材料、例えば布などから構成してもよい。又、保持部材１１に代えて、一対の面ファスナーにて帯状部材１０の中間部を耳当て部材側に係止保持させる構成であってもよい。
図４（ａ）の状態から帯状部材１０の先端を保持部材１１に輪に挿入した後、第２面ファスナー８に帯状部材１０の先端に備えさせている先端側の面ファスナー９Ａを係止保持させることによって、図４（ｂ）に示すように、帯状部材１０を耳当て部材４側に寄せた状態で保持することができ、耳当て部材４を帽子に着脱するときや帽子を被るときの他、不要時に図４（ｂ）の状態から例えば３つに折り畳んで収納しておくときなどにおいて、帯状部材１０が耳当て部材４から大きく飛び出してきて邪魔になることがないようにしている。
【００１８】
前記帯状部材１０を、伸縮自在な弾性ゴムから構成することによって、特に額に固定する場合に頭の大きな人であっても、伸ばすことによってサイズの吸収を行うことができる利点があるが、伸縮しない材料、布や合成樹脂などで構成して実施することもできる。
【００１９】
図５（ａ），（ｂ）及び図６（ａ），（ｂ）に、前記クラウン部１から取り外した帯状部材１０を他の使用方法にて使用している状態を示している。図５（ａ），（ｂ）では、帯状部材１０を図４（ａ）に示すようにフリーとなった状態にした耳当て部材４にて左右の耳を覆った状態にしてから、帯状部材１０を額に回してから帯状部材１０の先端側に備えた第３の面ファスナー９Ａを耳当て部材４に備えた第１の面ファスナー７に係止させて、耳当て部材４を額に固定することができるようにしている。この状態において他の別の帽子を被ることもできる。図５（ａ）は、図５（ｂ）に示すように、耳当て部材４を額に固定した状態において人物のみを省略することで耳当て部材４の形状を分かり易くした図である。
【００２０】
又、図６（ａ），（ｂ）では、図５（ｂ）に示すように、額に固定していた耳当て部材４を首に巻き付けてから、帯状部材１０の第３の面ファスナー９Ａは勿論のこと、補助用の面ファスナー９Ｂを第１の面ファスナー７に係止させることによって、頭よりも小さな首であっても確実に首に耳当て部材４を固定して首巻き（マフラー）として使用することができる。
【００２１】
図７に示すように、前記耳当て部材４の耳覆い部４Ａ，４Ｂを連結部４Ｂに交互に折り返して三つ折り状態にしてから、帯状部材１０を面ファスナー７に沿って巻き付けることにより、面ファスナー７に帯状部材１０の２つ面ファスナー９Ｂ，９Ａを順番に係止させて、三つ折り状態を保持させることができるようにしている。このようにすることによって、保管時や保管中に三つ折り状態が崩されることがなく、良好に保管することができる利点がある。
【００２２】
図１〜図７では、防寒用帽子の耳当て部材４を示したが、図８に示すように、特に暑い夏場などに使用する日除け用のメッシュ状の生地からなる被覆部材４（図では下端側ほど徐々に幅が小さくなる逆台形状の形状になっているが、他の形状であってもよい）であってもよい。図８のものは、図５（ｂ）で示したように単独での使用のみ可能であればよいため、第１の面ファスナー７を被覆部材４の全域に渡って設ける必要がない。つまり、首巻きのときに必要であった補助用の面ファスナー９Ｂが係止する箇所である中間部の面ファスナーを省略し、２枚の面ファスナー７Ａ，７Ｂから構成している。そして、帯状部材１０には前記首巻きのときに必要であった補助用の面ファスナー９Ｂが不要であることから、帯状部材１０には先端に備えさせた１枚の第３の面ファスナー９Ａのみで済ませることができ、材料コストの削減化を図ることができる。
【００２３】
前記帯状部材１０を、ゴム紐１２に代えたものを図９（ｂ）に示し、このゴム紐１２の両端を、被覆部材４の両端に連結し、このゴム紐１２の長さ調節を行うための調節具１３をゴム紐１２に備えさせている。そして、このように構成された図９（ｂ）の被覆部材４を装着した状態を、図９（ａ）に示している。図９（ａ）に示すように、被覆部材４の面ファスナー７Ａ，７Ｂをビン皮部３に備えさせた左右一対の面ファスナー６，６（図示せず）に係止することによって、被覆部材４を帽子に取り付けてから、鍔部２にゴム紐１２を載せてから調節具１３により長さ調節を行うようにしている。
図には示していないが、被覆部材を雨除け用に構成して実施することもできる。
【図面の簡単な説明】
【００２４】
【図１】被覆部材を装着した帽子を被った状態を示す側面図である。
【図２】被覆部材を取り外した防寒用帽子の分解斜視図である。
【図３】被覆部材の斜視図である。
【図４】（ａ）は図３で示した被覆部材を反対側から見た斜視図、（ｂ）は帯状部材を被覆部材側に保持された状態を示す斜視図である。
【図５】被覆部材の別の使用方法を示し、（ａ）はそれの正面図、（ｂ）は被覆部材を額に保持させた状態を示す正面図である。
【図６】被覆部材の別の使用方法を示し、（ａ）はそれの正面図、（ｂ）は被覆部材を首に巻き付けた状態を示す正面図である。
【図７】被覆部材を三つ折りにした状態を帯状部材にて保持させた状態を示す斜視図である。
【図８】他の被覆部材を示す斜視図である。
【図９】（ａ）は他の被覆部材を装着した帽子を被った状態を示す側面図、（ｂ）は（ａ）で示した被覆部材の斜視図である。
【符号の説明】
【００２５】
１  クラウン部
２  鍔部
３  ビン皮部
４  耳当て部材
４Ａ  耳覆い部
４Ｂ  連結部
５  サイズ調節部
６，７，８，９  面ファスナー
９Ａ，９Ｂ  面ファスナー
１０  帯状部材
１１  保持部材
１２  ゴム紐
１３  調節具
【図１】
2007070739.tif 000003
【図２】
2007070739.tif 000004
【図３】
2007070739.tif 000005
【図４】
2007070739.tif 000006
【図５】
2007070739.tif 000007
【図６】
2007070739.tif 000008
【図７】
2007070739.tif 000009
【図８】
2007070739.tif 000010
【図９】
2007070739.tif 000011